(57)【特許請求の範囲】
【請求項１】
両側一対とされた略半筒状カバ−部材の一側がヒンジを介して開閉自在に連結されると
共に、同他側自由端が係合部材を介して係着自在とされ、該両側のカバ−部材内に架空配
電線を水密状に係着封止せしめるべく両側カバ−部材の両端部内面と、係着すべき同他側
自由端の一方に各々充填空所を介して柔軟性を有する絶縁シ−ル材が充填され、該係着すべき他側自由端側の充填絶縁シ−ル材に喰い込ませるべく同自由端の他方に喰い込み片が凸条形成されると共に、該喰い込み片の外側に沿って絶縁シ−ル材用逃げ部が凹条形成されてなることを特徴とする、電線補修用カバ−。
【請求項２】
両側カバ−部材を適宜所定の角度に拡開して充填絶縁シ−ル材の不要な接着を防止せし
めるべく、両側カバ−部材の一方には周方向に向けて開き角度調整片が突設されると共に
、該開き角度調整片を係止せしめるべく同他方には係止受が形成されてなることを特徴と
する、請求項１記載の電線補修用カバ−。
【請求項３】
両側のカバ−部材内に架空配電線を挾持せしめるべく少くとも一方の内面にはその長手
方向に沿って２条の挾持片が凸状形成されてなることを特徴とする、請求項１及び２記載
の電線補修用カバ−。
【請求項４】
両側カバ−部材の外周面には各係合部材に対応すべく両側一対のスベリ止め付き把持部
が外周面レベルに形成されてなることを特徴とする、請求項１〜３記載の電線補修用カバ
−。
【発明の詳細な説明】
【技術分野】
【０００１】
本発明は、間接活線工法により架空配電線の芯線露出部などに取付けて使用する電線補
修用カバ−に関する。
【背景技術】
【０００２】
従来より、例えば、架空配電線に事故が生じた場合などにおける架空配電線工事におい
ては、安全確保のために工事個所を無電圧状態にせしめる必要があるも、工事個所以外の
送電を停止せしめることが出来ないものである。このため、一般に工事個所を挾んでバイ
パス工事終了後にバイパスケ−ブルでもって繋れたクランプを取付けるべく、架空配電線
の被覆を剥がした個所、また、クランプに絶縁被膜を貫通する刃型電極を設けた場合にお
ける残留貫通個所など架空配電線の芯線露出部を補修して電流の漏洩や雨水の侵入を防止
せしめる必要があるものである。
【０００３】
ところで、かかる目的に使用される電線補修用カバ−としては、両側一対とされた絶縁
プラスチック製の略半筒状カバ−部材がヒンジを介して開閉自在に連結されると共に、同
他側自由端が係着部材を介して係着自在とされ、かつ、両側カバ−部材の内周面には各々
両端に仕切壁を介して柔軟性を有する絶縁混和物や絶縁パテなどの絶縁シ−ル材が充填さ
れたものが開示されている（特開平８−９８３６３号公報、特開平１１−１３６８２９号
公報）。
【０００４】
そして、上述の如く構成された従来の電線補修用カバ−は、両側のカバ−部材をヤット
コなど間接活線把持工具の把持片間にヒンジの弾力性を利用して略半開状に仮止め保持せ
しめつつ、絶縁シ−ル材を架空配電線の芯線露出個所に外嵌状に当てがうと共に、把持片
を閉作動せしめて両側のカバ−部材を係着部材でもって水密状に係着封止せしめることに
より取付けるものとされている。
【特許文献１】特開平８−９８３６３号公報
【特許文献２】特開平１１−１３６８２９号公報
【発明の開示】
【発明が解決しようとする課題】
【０００５】
ところで、上述の如く構成された従来の電線補修用カバ−は、架空配電線の外径が比較
的小径の場合には架空配電線の芯線露出部を絶縁シ−ル材でもって水密状に係着封止せし
め、確実に電流の漏洩や雨水の侵入を防止せしめることが出来るものである。
しかしながら、電線補修用カバ−を比較的大径状の架空配電線に取付ける場合において
は、間接活線把持工具の挾持片による挾圧作動により次第に絶縁シ−ル材が架空配電線を
カバ−部材の係着側に押圧し、係着部材を外方に変形せしめてその係着を阻害せしめやす
いのみならず、絶縁シ−ル材が外方に流出してカバ−部材の外表面を汚損せしめやすいも
のである。また、絶縁シ−ル材は両側カバ−部材の内面に各々仕切壁を介して大量に充填
せしめるものとされている。このため、上述の如き弊害を生起せしめるのみならず、場合
によっては架空配電線の芯線露出部のみならずその周辺をも不必要に封止せしめるものと
なり、ひいては、全体としてコスト高となって非常に補修効率が悪いものである。
【０００６】
本発明は従来例の課題を解決し、小径状の架空配電線や比較的大径状の架空配電線にも
常に水密状に係着封止して確実に取付けることが出来るのみならず、少量の絶縁シ−ル材
でもって水密状に係着封止せしめて電流の漏洩や雨水の侵入を確実に防止せしめることが
出来る、電線補修用カバ−を提供しようとするものである。
【課題を解決するための手段】
【０００７】
上記の目的を達成するため、本発明の請求項１記載の発明は、両側一対とされた略半筒状カバ−部材の一側がヒンジを介して開閉自在に連結されると共に、同他側自由端が係合部材を介して係着自在とされ、該両側のカバ−部材内に架空配電線を水密状に係着封止せしめるべく両側カバ−部材の両端部内面と、係着すべき同他側自由端の一方に各々充填空所を介して柔軟性を有する絶縁シ−ル材が充填され、該係着すべき他側自由端側の充填絶縁シ−ル材に喰い込ませるべく同自由端の他方に喰い込み片が凸条形成されると共に、該喰い込み片の外側に沿って絶縁シ−ル材用逃げ部が凹条形成されてなることを特徴とする
、電線補修用カバ−を要旨とするものである。
【０００８】
本発明の請求項２記載の発明は、両側カバ−部材を適宜所定の角度に拡開して充填絶縁
シ−ル材の不要な接着を防止せしめるべく、両側カバ−部材の一方には周方向に向けて開
き角度調整片が突設されると共に、該開き角度調整片を係止せしめるべく同他方には係止
受が形成されてなることを特徴とする、請求項１記載の電線補修用カバ−を要旨とするも
のである。
【０００９】
本発明の請求項３記載の発明は、両側のカバ−部材内に架空配電線を挾持せしめるべく
少くとも一方の内面にはその長手方向に沿って２条の挾持片が凸状形成されてなることを
特徴とする、請求項１及び２記載の電線補修用カバ−を要旨とするものである。
【００１０】
本発明の請求項４記載の発明は、両側カバ−部材の外周面には各係合部材に対応すべく
両側一対のスベリ止め付き把持部が外周面レベルに形成されてなることを特徴とする、請
求項１〜３記載の電線補修用カバ−を要旨とするものである。
【発明の効果】
【００１１】
本発明の請求項１記載の発明は上述のように構成されているから、両側のカバ−部材を
間接活線把持工具の把持片間にヒンジの弾性力を利用して略半開状に拡開保持せしめ、両
側カバ−部材内面の中心に架空配電線の芯線露出部を位置せしめると共に、同両端の被覆
部位を両側カバ−部材両端の絶縁シ−ル材に、係着すべきカバ−部材一側自由端の絶縁シ
−ル材を同他側自由端に各々当てがうと共に、該カバ−部材一側自由端の絶縁シ−ル材に同他側自由端の喰い込み片を喰い込ませつつ、把持片を閉作動せしめて係着せしめることが出来るものであって、ひいては、両側カバ−部材の両端部と係着個所を各々絶縁シ−ル材でもって水密状に封止せしめて電流の漏洩や雨水の侵入を確実に防止せしめることが出来るものである。また、絶縁シ−ル材は両側カバ−部材の両端部と係着すべき自由端とにのみ充填空所を介して充填せしめるものであるから、従来例に比して少ない充填量でもって安価に、しかも効率よく水密状に封止せしめることが出来るものである。さらに、比較的大径状の架空配電線に取付けるさいにおいても、カバ−部材一側自由端の充填絶縁シ−ル材を同他側自由端の逃げ部に逃がすことが出来るものであって、ひいては、カバ−部材の外面を絶縁シ−ル材により汚損せしめることなく確実に取付けることが出来るものである。
【００１２】
本発明の請求項２記載の発明は上述のように構成されているから、柔軟性を有する充填
絶縁シ−ル材の不要な接着を有効に防止せしめることが出来るものであって、ひいては、
梱包時など不使用時における取扱いを極めて容易に行うことが出来るものである。
【００１３】
本発明の請求項３記載の発明は上述のように構成されているから、架空配電線の芯線露
出部を２条の挾持片により挾持せしめることが出来るものであって、ひいては、取付け時
における架空配電線の位置決めを正確に行うことが出来るのみならず、外力が作用した場
合においても変位することなく常に所定位置に確実に保持せしめることが出来るものであ
る。
【００１４】
本発明の請求項４記載の発明は上述のように構成されているから、取付け作業時におけ
る把持片のスベリを有効に防止せしめつつ把持作用を行うことが出来るものであって、ひ
いては、常に両側カバ−部材の係着をスム−ズに効率よく行うことが出来るものである。
また、スベリ止め付き把持部は両側カバ−部材の外周面レベルに形成されているから、例
えば、架空配電線を防護せしめるべく防護管などを挿入せしめるさいにおいても邪魔とな
らず、常に防護管などの挿入を容易に行うことが出来るものである。
【発明を実施するための最良の形態】
【００１５】
以下に、本発明を実施するための最良の形態を図面に示す一実施例に基づいて詳細に説
明する。
【００１６】
図１乃至図１１は本発明の一実施例を示すもので、同図中、１は絶縁プラスチック製電
線補修用カバ−、２ａ・２ｂは該電線補修用カバ−１を構成する両側一対の略半筒状カバ
−部材、２０は防護管などの挿入を容易に行わしめるべく該両側カバ−部材２ａ・２ｂの
両端部に各々形成されたテ−パ−部で、該各テ−パ−部２０に大径状と小径状の段状テ−
パ−とされている。３は上記両側のカバ−部材２ａ・２ｂどうしを開閉自在に連結せしめ
るべく長手方向に沿ってその一側に一体形成された弾性を有するヒンジ、２１は該ヒンジ
３の長手方向に沿ってその一側内面に突条形成されたヒレ部で、該ヒレ部２１は両側のカ
バ−部材２ａ・２ｂを閉作動せしめたさいにはヒンジ３に被さってカバ−強度と絶縁性を
高めるものとされている。４は該ヒンジ３に対応すべく一方のカバ−部材２ａの自由端に
所定ピッチでもって突設された所要数の係合片、５は該各係合片４に対応すべく他方のカ
バ−部材２ｂの自由端に各々形成された所要数の係合孔、６は該各係合片４と係合孔５と
に対応すべく両側カバ−部材２ａ・２ｂの外周面に同一レベルでもって形成されたスベリ
止め付き把持部、７は両側のカバ−部材２ａ・２ｂを水密状に係着封止せしめるべく係合
片４側のカバ−部材２ａ自由端に充填空所８を介して凸条に充填された柔軟性を有する絶
縁シ−ル材、９は該絶縁シ−ル材７に喰い込ませるべく他方のカバ−部材２ｂ自由端の長
手方向に沿って凸条形成された喰い込み片、２２は後記する架空配電線１７の取付け時に
おける余剰の絶縁シ−ル材７を逃がすべく該喰い込み片９に沿ってカバ−部材２ｂ自由端
に凹条形成された逃げ部である。
【００１７】
１０は上記両側カバ−部材２ａ・２ｂの両端部内面に各々取付けられたパテ付き発泡体
、１１は該各両端発泡体１０の内側に各々仕切壁１２を介して区画形成された所要幅の充
填空所、１３は該各充填空所１１に盛上り状に充填された絶縁シ−ル材である。そして、
上記絶縁シ−ル材１３および前記絶縁シ−ル材７としては、低温時の粘性と高温時の粘性
との差が小さく、しかも狭い空間にも入りこむ柔らかさを有するのみならず、空隙を水密
状に封止せしめることが出来るオレフィン系やシリコン系のパテを好適に使用することが
出来る。１４は上記両側のカバ−部材２ａ・２ｂ内面に後記する架空配電線１７の芯材露
出部１９を挾持せしめるべく一方のカバ−部材２ａ内面の長手方向に沿って凸条形成され
た２条の略テ−パ状挾持片、１５は両側のカバ−部材２ａ・２ｂを所定の角度に拡開せし
めるべく一方のカバ−部材２ａの一端外面に突設された摘み兼用の開き角度調整片で、該
開き角度調整片１５は捩切り自在とされている。１６は上記開き角度調整片１５の自由端
を係止せしめるべく前記逃げ部２２の一端に区画形成された係止受である。その他、１７
は架空配電線、１８・１９は該架空配電線１７の被覆部と芯線露出部を示す。
【００１８】
次ぎに、上述の如く構成された実施例の作動について説明する。
まず、不使用時においては図４乃至図６に図示するように、開き角度調整片１５を係止
受１６に係止せしめて両側カバ−部材２ａ・２ｂを所定の角度に拡開せしめ、柔軟性を有
する絶縁シ−ル材７・１３の不要な接着を防止せしめて梱包時など不使用時における取扱
いを容易に行わしめる。
【００１９】
そして、架空配電線１７に取付けるさいには、開き角度調整片１５を係止受１６より係
止解除せしめたのち、従来例と同様に、両側のカバ−部材２ａ・２ｂを間接活線把持工具
（図示略）の把持片間にスベリ止め付き把持部６を介して把持せしめつつ、ヒンジ３の弾
性力を利用して略半開状に拡開保持せしめる。次いで、一方のカバ−部材２ａの長手方向
に沿ってその内面中心に挾持片１４を介して架空配電線１７の芯線露出部１９を挾持せし
めた後、同両端の被覆部１８を各々両側カバ−部材２ａ・２ｂ両端の絶縁シ−ル材１３に
当てがうと共に、カバ−部材２ａ自由端の絶縁シ−ル材７を他方のカバ−部材２ｂ自由端
に当てがいつつ把持片を閉作動せしめ、各係合片４を対応する係合孔５に係合せしめるこ
とにより両側のカバ−部材２ａ・２ｂを係着して取付ける。
【００２０】
このさい、係着せしめた両側のカバ−部材２ａ・２ｂは、その両端部と係着個所とを各
々絶縁シ−ル材７・１３でもって各々水密状に封止せしめ、電流の漏洩や雨水の侵入を確
実に防止せしめることが出来る。また、各絶縁シ−ル材７・１３は両側カバ−部材２ａ・
２ｂの両端部と係着すべき自由端とにのみ充填せしめるものであるから、少ない充填量で
もって安価に、しかも、効率よく水密状に封止せしめることが出来るのみならず、比較的
大径状の架空配電線１７にも適宜絶縁シ−ル材７を逃げ部２２に逃がしつつ容易に取付け
ることが出来るものである。さらに、芯線露出部１９を挾持片１４により挾持せしめつつ
架空配電線１７に取付けるものであるから、取付け時における架空配電線１７の位置決め
を正確に行うことが出来るのみならず、外力が作用した場合においても変位することなく
常に所定の位置に確実に保持せしめることが出来る。さらに、両側カバ−部材２ａ・２ｂ
の外表面には係合片４と係合孔５に各々対応すべくスベリ止め付き把持部６が外周面レベ
ルに形成されているから、取付け時における把持片のスベリを有効に防止せしめつつ確実
に把持作用を行うことが出来るのみならず、架空配電線１７の補修個所を防護せしめるべ
く防護管などを挿入せしめるさいにおいても、テ−パ−部２０とも相まってその挿入作業
を容易に行うことが出来るものである。
【００２１】
なお、上記実施例において、挾持片１４は一方のカバ−部材２ａ内面にのみ凸条形成さ
れているが、必要に応じて他方のカバ−部材２ｂに、あるいは両側のカバ−２ａ・２ｂに
各々凸条形成せしめてもよいものである。
【図面の簡単な説明】
【００２２】
【図１】本発明の一実施例を示す正面図である。
【図２】図１のＡ−Ａ線に沿う断面図である。
【図３】図１のＢ−Ｂ線に沿う断面図である。
【図４】実施例の開き角度調整片１５により所定の角度に拡開せしめた状態を示す正面図である。
【図５】実施例の開き角度調整片１５により所定の角度に拡開せしめた状態を示す側面図である。
【図６】図４のＣ−Ｃ線に沿う拡大断面図である。
【図７】使用状態を示す正面図である。
【図８】使用状態を示す側面図である。
【図９】使用状態を示す垂直断面図である。
【図１０】図９のＤ−Ｄ線に沿う拡大断面図である。
【図１１】図９のＥ−Ｅ線に沿う拡大断面図である。
【符号の説明】
【００２３】
１    電線補修用カバ−
２ａ・２ｂ    カバ−部材
３    ヒンジ
４    係合片
５    係合孔   
６    把持部
７    絶縁シ−ル材
８    充填空所
９ 喰い込み片
１１  充填空所
１３  絶縁シ−ル材
１４  挾持片  
１５  開き角度調整片
１６  係止受
１７  架空配電線
２２ 逃げ部
【図１】
0004711449.tif 000002
【図２】
0004711449.tif 000003
【図３】
0004711449.tif 000004
【図４】
0004711449.tif 000005
【図５】
0004711449.tif 000006
【図６】
0004711449.tif 000007
【図７】
0004711449.tif 000008
【図８】
0004711449.tif 000009
【図９】
0004711449.tif 000010
【図１０】
0004711449.tif 000011
【図１１】
0004711449.tif 000012